(57)【特許請求の範囲】
【請求項１】
予め定められた表示態様により遊戯者に特別な利益を設定表示する当たり外れ判定用の当たり判定表示手段と、
当たり口とアウト口とが配置される球振り分け部と、前記当たり判定表示手段で表示された当たり表示に対応して当たり口へ遊戯球を誘導する球誘導手段を備えた球振り分け装置とを設け、
前記球振り分け装置の球誘導手段に動作制御手段を関連して設け、
前記球振り分け部は前記当たり口と前記アウト口とを有する固定円板とその外周に配置された球振り分け回転体とで構成されており、
前記球振り分け回転体には遊戯球が停留可能な複数の球受け部が設けられ、
前記球誘導手段は前記アウト口及び前記当たり口に前記球受け部に停留された遊戯球を誘導可能な位置にそれぞれ配置され、
前記当たり判定表示手段により当たりが成立判定された場合、前記球誘導手段は前記球受け部に停留された遊戯球を前記球振り分け回転体の回転動作をへて前記当たり口へ誘導する一方、前記当たり判定表示手段によりハズレが成立判定された場合、前記球誘導手段は前記球受け部に停留された遊戯球を前記球振り分け回転体の回転動作をへて前記アウト口へ誘導することを特徴とするパチンコ機。
【請求項２】
上記当たり判定表示手段で設定される当たりの発生確率が、球振り分け装置で設定される当たり口への遊戯球の落入確率より低く設定されたことを特徴とする請求項１記載のパチンコ機。
【発明の詳細な説明】
【０００１】
【発明の属する技術分野】
この発明はパチンコ機において当たり判定表示手段と球振り分け装置を関連させ、遊戯者に当たりの成立の期待感をもたせることができるパチンコ機に関する。
【０００２】
【従来の技術】
従来、パチンコ遊戯により遊戯者に利益を与える手段としては、遊戯板の中央に設置した図柄表示装置の表示面において表された図柄が予め定められた図柄と一致したとき、遊戯者に可変入賞装置の入賞口を開放若しくは拡開動作してパチンコ球の入賞口への入賞を容易としたり、さらに可変入賞装置内に設けられた入賞球振り分け装置の入賞領域のうち特別の入賞領域にパチンコ球が入賞した場合に、可変入賞装置の入賞口を開放若しくは拡開動作してパチンコ球の入賞口への入賞を容易にするようにしたものは公知である。従来の図柄表示装置では単に図柄を合わせるだけで、単純であり興趣に乏しい面があった。
【０００３】
【発明が解決しようとする課題】
この発明は、このような従来の課題を解決するように創作したもので、当たり判定表示手段と球振り分け装置とを関連させ、特別な遊戯者への利益を、見掛け上は球振り分け装置により付与するように見せる一方、実際上は当たり判定表示手段において設定される当たり確率（当たりを設定する当たり乱数の選択）により設定させるパチンコ機を提供することを目的とする。又、球振り分け装置の球誘導手段に当たり動作制御手段を関連させて当たり口へ的確に誘導しうるパチンコ機を提供することを目的とする。
【０００４】
【課題を解決する手段】
この発明の請求項１のパチンコ機は、予め定められた表示態様により遊戯者に特別な利益を設定表示する当たり外れ判定用の当たり判定表示手段と、
当たり口とアウト口とが配置される球振り分け部と、前記当たり判定表示手段で表示された当たり表示に対応して当たり口へ遊戯球を誘導する球誘導手段を備えた球振り分け装置とを設け、
前記球振り分け装置の球誘導手段に動作制御手段を関連して設け、
前記球振り分け部は前記当たり口と前記アウト口とを有する固定円板とその外周に配置された球振り分け回転体とで構成されており、
前記球振り分け回転体には遊戯球が停留可能な複数の球受け部が設けられ、
前記球誘導手段は前記アウト口及び前記当たり口に前記球受け部に停留された遊戯球を誘導可能な位置にそれぞれ配置され、
前記当たり判定表示手段により当たりが成立判定された場合、前記球誘導手段は前記球受け部に停留された遊戯球を前記球振り分け回転体の回転動作をへて前記当たり口へ誘導する一方、前記当たり判定表示手段によりハズレが成立判定された場合、前記球誘導手段は前記球受け部に停留された遊戯球を前記球振り分け回転体の回転動作をへて前記アウト口へ誘導することを特徴とする。
【０００５】
この第１の発明の構成による作用は、遊戯板の何れかより落入転動して遊戯球が球振り分け装置の球振り分け部に入り、当たり判定表示手段で当たり判定されたとき、その遊戯球が球誘導手段で当たり口へ誘導される。而して、見掛け上は球振り分け装置によって付与するように見せる一方、実際は当たり判定表示手段により当たり確率を設定させ、遊戯者に当たり成立の期待感を持たせることを可能とする。
【０００６】
また、前記のように見掛け上は球振り分け装置によって付与するように見せる一方、実際は当たり判定表示手段により当たり確率を設定させ、その当たり判定表示手段における当たりが成立判定されたとき、当たり位置の動作制御手段を作動して球誘導手段を作用し遊戯板の何れかより落入転動し球振り分け装置に入った遊戯球を当たり口へ確実に誘導できるので、遊戯者に当たり成立の期待感を持たせることを可能とする。
【０００７】
請求項２の発明は、上記当たり判定表示手段で設定される当たりの発生確率が、球振り分け装置で設定される当たり口への遊戯球の落入確率より低く設定されたものである。
【０００８】
この第２の発明の構成による作用は、遊戯球の落入口の構成により遊戯者が一次的に認識でき付与される利益の成立割合が、当たり判定表示手段により二次的に認識され付与される利益の成立割合を低く押さえて遊戯者の当たり成立への期待感を調整することを可能とする。
【０００９】
【発明の実施形態】
この発明の実施形態を図面に基づいて説明する。図１はパチンコ機の正面図、図２はこの発明の入賞装置の正面図、図３は同一部破断平面図、図４は同縦断面図、図５は球振り分け装置と当たり判定表示手段を示す平面図、図６は同側面図、図７は回転体のソレノイド位置を示す概略図、図８は当たり判定表示手段のパターン図、図９は入賞装置のプログラムのフローチャート、図１０はスイッチとＣＰＵ，ＲＡＭ，ＲＯＭと各表示手段との関連を示すブロック図である。
【００１０】
図１において、パチンコ機は側枠（木枠）１と、該側枠１の一側に開閉自在に軸支された前面枠体２と、該前面枠体２の前面上部に開閉自在に設けられかつ遊戯盤３の前方を覆うガラス板を保持するガラス枠４と、前面枠体２の前面下部に開閉自由に設けられかつ上皿５が固着される上皿取付け用前板６と、該前板の下方の前面枠体２に下皿７、操作ハンドル８等から構成されている。
【００１１】
遊戯盤３には中央にこの発明の入賞装置９が備えられている。入賞装置９はゲートと球振り分け装置１０と当たり判定表示手段１１とを関連させた構成としてある。又遊戯板には左右に球受け口１２、左右下部に左袖と右袖入賞口１３、左落しと右落し入賞口１４、中央下部に大入賞口１５と特定領域１６、両側部にサイド表示ランプ（ＬＥＤ）１７が設けられている。１８はランプ風車、風車である。
【００１２】
図２乃至図６において、入賞装置９は、窓口２１を設けた合成樹脂製取付け器体２０と、その前面に窓口２３、球検出スイッチ用ゲート２４、球導入面２５を備えた合成樹脂製前面器体２２と、内部空間２８を有する奥行きの深い合成樹脂製後部器体２７とを組み合わせて構成され、内部に球振り分け装置１０を備え、かつ後部に当たり判定表示手段１１の図柄表示装置６１が備えられている。前面器体２２は取付け器体２０の窓口２１と同じ大きさの窓口２３が形成され、その窓口２３の一側に球検出スイッチ用ゲート２４が形成されて、取付け器体２０を通じて後部より該ゲート２４に球検出スイッチ２９が装着され、かつその窓口２３の上面に一側のゲート２４側へ若干傾斜状とした球導入面２５が形成されて遊戯板の何れかより落ちてくる遊戯球をゲート２４へ導入落下させ、ゲート２４の球検出スイッチ２９を通過させ、後述の球振り分け装置１０上に落入させる。ゲート２４には球を後述の球振り分け回転体４０へ送るために後方に屈曲させたガイド片２４ａが一体形成されている。
【００１３】
球振り分け装置１０は、当たり口３２とアウト口３３とが配置される球振り分け部と、当たり判定表示手段で表示された当たりに対応して当たり口へ遊戯球（パチンコ球）を誘導する球誘導手段４３とを備え、前部器体２２、取付器体２０、後部器体２７の内部に設置されている。実施形態で球振り分け部は中央の当たり口３２とアウト口３３を有する固定円板３１とその外周の球振り分け回転体４０で構成されている。該球振り分け装置１０の中央の円板３１にはその上面を３等分する位置に放射状に球誘導ガイド３４が形成され、かつ中央部に当たり用ガイド壁３５が形成され、その球誘導ガイド３４で区分された箇所に当たり口３２と一対のアウト口３３が３角形の頂点の位置に配置されて、かつ該円板３１の周囲には当たり口３２とアウト口３３へ球を導入する導入部を除く３方に円弧状の球流入阻止壁３６が形成されている。この当たり口３２と一対のアウト口３３を有する合成樹脂製円板３１が前記開口３０の上部に位置するように合成樹脂製支持板３９で器体に水平に固定され、該支持板３９の上面で円板３１の外周に環状の合成樹脂製球振り分け回転体４０が回転自在に備えられ、後述の駆動手段により矢印方向へ回転駆動される。支持板３９は一端を取付け器体２０の下部の嵌合部に嵌合し、他端を後部器体２７の嵌合孔に嵌合して保持されている。前記円板３１には当たり口３２の下部にガイド片３７、アウト口３３の下部にガイド片３８が一体に形成され、支持板３９の中央に取付られている。取付け器体２１と後部器体２７の底部に開口３０が形成され、前記当たり球の導出ガイド片３７、アウト球排出ガイド片３８が開口３０より下方へ突出して設けられている。
【００１４】
而して、前記ゲート２４より落入する球はこの球振り分け回転体４０の球受け部４１に停留されて回転される。球振り分け回転体４０の回転動作をへて球誘導手段４３の球誘導板４５の揺動作用で球が押し上げられて傾斜状となり３方の円弧状の球流入阻止壁３６の間を通じて中心の円板３１の当たり口３２、アウト口３３に的確に導入される。
【００１５】
環状の球振り分け回転体４０には周面上面に複数の区分壁４２を形成して複数の凹状の球受け部４１が放射状に形成され、該球受け部４１に中央の円板３１の当たり口３２又はアウト口３３へ遊戯球を誘導する球誘導手段４３が設けられている。実施形態では球受け部４１はＳ１〜Ｓ１２まで形成され、各球受け部４１に備える球誘導手段４３の構造は、凹状の球受け部４１に外端を円弧状とした開口４４が形成され、その開口より若干小さくし外端を円弧状とし一側に突部を設けた球誘導板４５の両側の軸を開口４４の下方の両側に当てて、下面に保持環４８を当てて保持し、各開口４４を通じてそれぞれ球誘導板４５が放射状に起伏自在に枢支され、ゲート２４を通じて流入してＳ１からＳ１２の凹状の球受け部４１のどこかに停留させた球を球誘導板４５により中央の当たり口３２、アウト口３３の方へ誘導可能とされている。球受け部４１は区分壁４２で区分して凹状としてあるが、これに限られるものではなく、球を受け入れできる凹状部とすればよい。
【００１６】
この球振り分け回転体４０を回転駆動する駆動構造は、回転体４０の下面全周に歯車５０が形成され、該歯車に球振り分け装置１０の背面に設けたモーター５１の駆動歯車５２が噛合され、モーター５１の駆動により球振り分け回転体４０が矢印方向に回動される。該回転体４０は球が球検出スイッチ用ゲートを通過して流入した時回転を開始し、回転体に停留する球が当たり口、或いはアウト口３３より出るまでの一定時間回転駆動される。或いは、遊戯機のハンドルを操作中この回転体を常時回転するようにしてもよい。
【００１７】
回転駆動される球振り分け回転体４０の球誘導手段４３を作用しうる位置に動作制御手段４６が配置され、当たり判定表示手段１１により当たりが成立時に動作制御手段４６で球誘導手段４３が作動され、内方へ傾斜状として球を円板３１の当たり口３２の方へ送り込むようにする。実施形態では、球誘導手段４３を動作する動作制御手段４６として、当たり用と外れ用の動作制御手段４６、４６’が設けられている。すなわち、球振り分け回転体４０の当たり、外れに相当する位置の球誘導板４５の下面にソレノイド４６、４６’が設置され、ソレノイドの作動杆４７がその球誘導板４５の軸より外側の下面に位置して下面を押し上げ可能に設けられる。而して、常時はソレノイド４６、４６’の作動杆４７をバネにより下方位置に復帰させて、球誘導板４５を球受け部４１の上面と面一にしておく。そして、後述の当たり判定表示手段１１で特定の色彩の組合せになり当たりと判定された時、ソレノイド４６の作動で球誘導板４５の外側を押し上げて内方へ傾け、回転されている球振り分け回転体４０の球受け部４１に停留しいる球を押し上げて当たり口３２の方へ転動させ入賞させる。又、特定の色彩以外の組合せになり外れと判定された時、ソレノイド４６’の作動で球誘導板４５の外側を押し上げて傾け、回転されている球振り分け回転体４０の球受け部４１に停留しいる球を押し上げてアウト口３３の方へ排出させる。
【００１８】
図７において、当たり球誘導手段のソレノイド４６を設ける位置は、当たり口３２の延長線に相当する位置（正面中央位置）と、外れ球排出手段のソレノイド４６’を設ける位置は、両側のアウト口３３の延長線に相当する位置、すなわち当たり口の延長線となす角度Θが約１２０度の位置に配置されている。従って、回転体４０が回転中、当たり判定表示手段１１で当たりのとき、当たり口の前に位置する球受け部４１の球誘導板４５をソレノイド４６で押し上げてその球受け部に停留する球を当たり口３２に導き、当たり判定表示手段１１で外れのときには、アウト口の前に位置する球受け部４１の球誘導板４５をソレノイド４６’で押し上げてその球受け部に停留する球をアウト口３３に導く。実施形態では球誘導板の下面にソレノイドを直接関連させたが、これに限られるものではなく、間接的に関連させて作動することもできる。又、ソレノイドを設置する個所も前記した位置に限定されるものではない。
【００１９】
当たり判定表示手段１１は、図柄を表示する図柄表示装置６１と、その図柄の組み合わせの当たり外れを判定する当たり判定制御装置６２とを組み合わせて構成され、予め定められた表示態様により遊戯者に特別な利益を設定表示するようにしてある。図２において、図柄表示装置６１は入賞装置９の後部器体２７の奥に円弧状に形成されている。該図柄表示装置６１は一対の表示体６３が複数組、例えば８組配列され、制御装置でその表示体６３が２種類の色彩をランダムに変換して照明表示される。当たり判定制御装置６２は図柄表示装置６１に色彩をランダムに変換して照明表示される一対の表示体６３の色彩の組み合わせが当たり判定位置で所定の組み合わせか否かを判定し、当たり外れに応じて動作制御手段４６を作動制御するものである。すなわち、図８のパターン図に示すように図柄表示装置６１として、第１表示ユニットＡ，Ｂ，Ｃ，Ｄ，Ｅ，Ｆ，Ｇ，Ｈと第２表示ユニットａ，ｂ，ｃ，ｄ，ｅ，ｆ，ｇ，ｈが設けられ、各表示ユニットに関連して色彩の組合せで当たりを判定する当たり判定制御装置６２が設置される。この当たり判定制御装置６２の色彩の組合せによる当たりの設定は当たり乱数を選択して設定することができる。前記球検出スイッチ２９を当たり判定表示手段１１とＣＰＵ、ＲＡＭ、ＲＯＭを介して関連させ、かつ当たり判定表示手段１１の当たり判定制御装置６２と球振り分け装置１０をＣＰＵ、ＲＡＭ、ＲＯＭを介して関連させ、前記球検出スイッチ２９の球通過信号によりこの第１、第２表示ユニットが点灯表示方向に、例えば２種の色彩でランダムに点灯表示される。而して、第１表示ユニットＡ，Ｂ，Ｃ，Ｄ，Ｅ，Ｆ，Ｇ，Ｈと第２表示ユニットａ，ｂ，ｃ，ｄ，ｅ，ｆ，ｇ，ｈが球検出スイッチ２９の球通過信号により点灯表示方向に点灯が始められ一定時間で停止したとき、当たり判定位置（四角で囲んだ位置）における一対の表示体６３（Ｄ、ｄ）が特定の色彩の組合せになったとき、「当たり」と判定し、それ以外の色彩の組合せは「外れ」と判定をするようにしてある。すなわち、図８に示すように、実施形態では、外れパターンの色彩が「青色」（図では無色で表されている）、当たりパターンの色彩が「赤色」（図では斜線で表されている）としてある。その色彩が青と青、青と赤の場合は「外れ図柄」、赤と赤の場合は「当たり図柄」とされる。表示体の点灯における色彩の切り換えは例えば、ＬＥＤの色彩切り換えにより行われる。
【００２０】
この当たり判定表示手段で設定される当たりの発生確率は球振り分け装置で設定される当たり口への遊戯球の落入確率より低く設定され、遊戯球落入口の構成により遊戯者が一次的に認識でき付与される利益の成立割合が、当たり判定表示手段により二次的に認識され付与される利益の成立割合を低く押さえて遊戯者の当たり成立への期待感を調整することができる。この当たり判定表示手段１１によれば、見掛け上は役物に設けられた球振り分け口の数より、当たりは１／３に設定されたように見える。しかし、実際上は当たり判定表示手段において定められた当たり出現確率により当たりが成立される。すなわち、当たり判定表示位置が点灯される確率１／８×１／８と当たりパターン（色）が点灯する確率１／２×１／２とによって当たりの成立が決定される。又、第１表示ユニットＡ，Ｂ，Ｃ，Ｄ，Ｅ，Ｆ，Ｇ，Ｈと第２表示ユニットａ，ｂ，ｃ，ｄ，ｅ，ｆ，ｇ，ｈとにおける表示点灯移動時間を調整することにより表示体の色彩が一致する確率の調整を行うことができる。
【００２１】
而して、打球が前記球振り分け装置１０のゲート２４を通過すると当たり判定表示手段１１の図柄表示装置６１の図柄が変動し、回転体４０が回転を開始し、当たり判定表示手段１１の図柄表示装置６１の表示体６３の色彩が特定の色彩の組合せで停止し、当たり判定制御装置６２により当たり判定位置で当たりと判定され回転する回転体に停留する球が当たり口に入って入賞すると、大入賞口１５が所定の開放時間開放され、さらにその開放時に球が特定領域１６に入ることにより特定の大当たりとなる。又、左袖又は右袖入賞口１３、左落し又は右落し入賞口１４に打球が入ると入賞となる。実施形態の当たり判定表示手段１１は一対の表示体６３が８組配列され、表示される色彩の組み合わせで当たり外れを決めるようにしたもので説明したが、この構造に限られるものではなく、例えば３個のデジタル表示体を並設し、ゲートを球が通過したときデジタル表示体を回転し、その図柄等が当たり、外れを判定するものでもよい。又、ゲート２４に限らず、両側の球受け口１２により当たり判定表示手段１１を作動させるようにもできる。
【００２２】
図９の入賞装置の作動プログラムのフローチャートに基づいて、この発明の作用を説明すると、パチンコ遊戯開始（Ｓ１００）、パチンコ遊戯終了（Ｓ１０１）、球検出スイッチ入賞口への入賞待ちでの遊戯中（Ｓ１０２）、遊戯球がゲートの球検出スイッチ（Ｓ１０３）を通過ＹＥＳで、当たり判定表示手段１１の図柄表示装置６１の図柄が変動開始し（Ｓ１０４）、回転体４０が回転開始し、遊戯球は回転する回転体４０のＳ１〜Ｓ１２の何れかに停留する（Ｓ１０５）。図柄表示装置６１が変動を停止すると、当たり判定表示手段１１の当たり判定制御装置６２の判定が当たり（Ｓ１０６）ＹＥＳのとき、動作制御手段を作動し、回転体４０の停留球を当たり口３２へ誘導（Ｓ１０７）、当たり発生（Ｓ１０８）、例えば、多数の遊戯球が入賞可能な大入賞口を開放動作し、所定個数の大入賞口への遊戯球の入賞達成や、所定期間の経過により大入賞口を閉鎖状態に戻す。また大入賞口開放動作中に該大入賞口に設けられた特定領域に遊戯球が入賞した場合には、再び継続して予め遊戯機の形態により設定した所定回数の連続開放動作を実行する（Ｓ１０９、Ｓ１１０）。特別な利益状態の終了（Ｓ１０９）後、遊戯の初期状態に戻す。又、当たり判定で判定ＮＯのとき、動作制御手段４６’を作動し、回転体４０の停留球をアウト口３３へ誘導（Ｓ１１１）して遊戯者へ特別な利益は設定せず、遊戯の初期状態に復帰させる。スイッチオン（Ｓ１０３）ＮＯのときは元に戻る。
【００２３】
図１０のスイッチとＣＰＵ，ＲＡＭ，ＲＯＭと各表示手段との関連を示すブロック図において、遊戯球が始動球検出スイッチ、本発明を利用する実施の形態によってはゲート通過検出スイッチ（Ｍ１１０）を通過すると、カウントスイッチ（Ｍ１１１）で流入個数をカウントし、ＣＰＵ，ＲＡＭ，ＲＯＭ（Ｍ１１２）、すなわち、当たり動作制御手段（パチンコ機制御装置、制御回路、プログラム）を介して始動入賞球記憶表示手段（Ｍ１１３）で記憶され、当たり判定表示手段１１（図柄表示装置６１、当たり判定制御装置６２）で判定されて当たり外れが表示され、球振り分け回転体の駆動手段（モーター）５１で球振り分け回転体が回転駆動され、判定に対応して当たり動作制御手段（ソレノイド）４６、外れ球排出手段（ソレノイド）４６’が作用されて球誘導手段が作動され、回転体の球受け部に停留する球が当たり口３２、或いはアウト口３３へ誘導される。当たり球の発生に基づいて大入賞口が開口した場合に大入賞口に入賞した遊戯球が特定領域に入り特定領域スイッチ（Ｍ１１４）を作用して大当たりとなったとき、上記大入賞口の開放動作を連続して継続させる。大当たり表示手段（Ｍ１１６）に表示される。当たりのとき、装飾ＬＥＤ、情報表示ランプ（Ｍ１１７）に点灯表示され、入賞口開放手段（ソレノイド）の大入賞口駆動ソレノイド（Ｍ１１９）が作動されて開放又は拡開動作される。
【００２４】
以上の実施形態を示したが、この発明はこの形態に限定されるものではなく、この発明の要旨を逸脱しない範囲で、様々な形態を実施しうるものである。上記当たり判定表示手段と、該当たり判定表示手段の判定結果に基づいて遊戯球を入賞口へ誘導する球誘導手段を有する球振り分け装置とをいわゆる第１種パチンコ機の特別図柄表示装置として、普通図柄表示装置として、さらには普通電動役物として、また始動入賞口に適宜採用し構成することもできる。又、第３種パチンコ機における権利発生手段として、また第３種パチンコ機の図柄表示装置の一構成として組み合わせても良い。
【００２５】
【発明の効果】
この発明によれば、遊戯板の何れかより落入転動して遊戯球が球振り分け装置の球振り分け部に入り、当たり判定表示手段で当たり判定されたとき、その遊戯球が球誘導手段で当たり口へ誘導される。而して、見掛け上は球振り分け装置によって付与するように見せる一方、実際は当たり判定表示手段により当たり確率を設定させ、遊戯者に当たり成立の期待感を持たせることを可能とする。
【００２６】
また、前記のように見掛け上は球振り分け装置によって付与するように見せる一方、実際は当たり判定表示手段により当たり確率を設定させ、その当たり判定表示手段における当たりが成立判定されたとき、当たり位置の動作制御手段を作動して球誘導手段を作用することができるので、遊戯板の何れかより落入転動し球振り分け装置に入った遊戯球を当たり口へ確実に誘導できるので、遊戯者に一層の当たり成立の期待感を持たせることができる。
【００２７】
請求項２の発明によれば、遊戯球落入口の構成により遊戯者が一次的に認識でき付与される利益の成立割合が、当たり判定表示手段により二次的に認識され付与される利益の成立割合を低く押さえて遊戯者の当たり成立への期待感を調整することができる。
【図面の簡単な説明】
【図１】  パチンコ機の正面図である。
【図２】  この発明の球振り分け装置の正面図である。
【図３】  同一部破断平面図である。
【図４】  同縦断面図である。
【図５】  球振り分け回転体と当たり判定表示手段を示す平面図である。
【図６】  同側面図である。
【図７】  回転体のソレノイド位置を示す概略図である。
【図８】  当たり判定表示手段のパターン図である。
【図９】  入賞装置の作動プログラムのフローチャートである。
【図１０】  スイッチとＣＰＵ，ＲＡＭ，ＲＯＭと各表示手段との関連を示すブロック図である。
【符号の説明】
９  入賞装置
１０  球振り分け装置
１１  当たり判定表示手段
２４  ゲート
２９  球検出スイッチ
３１  円板
３２  当たり口
３３  アウト口
４０  球振り分け回転体
４１  球受け部
４３  球誘導手段
４５  球誘導板
４６  ソレノイド
４６’  ソレノイド
６１  図柄表示装置
６２  当たり判定制御装置
【図１】
0004272273.tif 000002
【図２】
0004272273.tif 000003
【図３】
0004272273.tif 000004
【図４】
0004272273.tif 000005
【図７】
0004272273.tif 000006
【図５】
0004272273.tif 000007
【図６】
0004272273.tif 000008
【図８】
0004272273.tif 000009
【図９】
0004272273.tif 000010
【図１０】
0004272273.tif 000011